(57)【要約】【課題】  床面と壁面のゴミの滞留を少なくするとともに床面と壁面及び第一の幅木と第二の幅木との嵌挿部の隙間をなくして美感を保つことができ、しかも開口部やコンセント機能を設けた幅木及び幅木取付構造を提供することにある【解決手段】  床面１と壁面２とのコーナー部３に弾力性を有する釘打ち不要の下段の第一の幅木４と該第一の幅木４の上縁に連設する第二の幅木５を着脱自在に設けて、下段の第一の幅木４と床材との間を釘やビス等での固着を不要にして隙間を防ぐことで、ゴミの滞留を少なくするとともに隙間をなくして美感を保つことができ、しかも外部コンセント１１の位置移動が簡便な開口部や外部コンセント１１機能を設けている。【選択図】図１
2005097937.tif 000002
【特許請求の範囲】
【請求項１】
床面と壁面とのコーナー部に弾力性を有する釘打ち不要の下段の第一の幅木と該第一の幅木の上縁に連設する第二の幅木を着脱自在に設けたことを特徴とする幅木。
【請求項２】
上記第一の幅木本体に開口部を形成することを特徴とする請求項１記載の幅木。
【請求項３】
上記第二の幅木本体の内部に配線を設け外部コンセントを内挿することを特徴とする請求項１又は請求項２記載の幅木。
【請求項４】
上記外部コンセントが幅木本体に設けられたレール部にスライド自在に配設することを特徴とする請求項１乃至請求項３記載のいずれか１項に記載された幅木。
【請求項５】
床面と壁面とのコーナー部に弾力性を有する釘打ち不要の下段の第一の幅木と該第一の幅木の上縁に連設する第二の幅木を着脱自在に設けた幅木取付構造であって、上段の第二の幅木が柱面に固着された壁下地材に固着されると共に下段の第一の幅木の後面に壁下地材なしの空間部を設けて配線を収容するようにすることを特徴とする幅木取付構造。
【発明の詳細な説明】
【技術分野】
【０００１】
本発明は、建物の床面と壁面下面とのコーナー部や床面と間仕切り壁下面のコーナー部に取付ける幅木に関するものである。
【背景技術】
【０００２】
従来から、特開２０００−２２０２８５号公報（特許文献１）に示される幅木材と床材の納まり構造に開示されているように、床下地上に床材が固定され、壁面と接する隅部の床材上に上端に表面側下端に切り欠きを有する上部幅木と表面側上端に前記切り欠きと嵌合する凸部を有する下部幅木とからなる幅木材をこの切り欠きと凸部が上下スライド嵌合するように、かつ少なくとも下部幅木がこの下部幅木の表面側からネジにより床材に固着されるようにしたものがある。
【０００３】
このようにすることで、下部幅木を床材に固着してあるので、根太や大引きがやせてきた場合でも、下部幅木は、床材と共に動くので下部幅木と上部幅木との間に隙間があくこともなく美感を損ねることもないものであります。又、床暖房の点検・修理の際に下部幅木に対するネジを緩めて取り外し、あるいはこれを床暖房用床材から浮かせた状態で作業することができるので、点検・修理作業が行いやすくなるというものであります。
【０００４】
また、特開２００１−１８２３０８号公報（特許文献２）に示される幅木取り付け構造に開示されているように、上部幅木材の上面は壁下地材と下部幅木材とに分割された幅木をワンタッチで簡単に取り付け、取り外しができるようにしたものであって、下部幅木材が幅木係止金具を介して床材に固着されているので、根太や大引きがやせてきた場合でも、下部幅木材は床材とともに動き、下部幅木材と床材との間に隙間が生じることもなく美感も損なわないというものであります。
【０００５】
しかしながら、上記の特許文献１、２に記載の上部幅木材と下部幅木材とを床材に直接固定するタイプのものであります。このような幅木構造では下部幅木材を取り外すには、ビスや釘を抜く作業が必要となり、取付けや取り外しの作業が面倒なものであります。又、下部幅木材にゴミが溜まったりし易く、この下部幅木材に換気機能を設けたり、この下部幅木材と上部幅木材との協働によりコンセント機能等を設置することができるようにした構成とするものではないものです。
【特許文献１】特開２０００−２２０２８５号公報
【特許文献２】特開２００１−１８２３０８号公報
【発明の開示】
【発明が解決しようとする課題】
【０００６】
本願発明は、上記背景技術に鑑みて発明されたものであり、その課題は、床面と壁面とのコーナー部に弾力性を有する釘打ち不要の下段の第一の幅木と該第一の幅木の上縁に連設する第二の幅木を着脱自在に設けて、下段の第一の幅木と床材との間を釘やビス等での固着を不要にして隙間を防ぐことで、床面と壁面のゴミの滞留を少なくするとともに床面と壁面及び第一の幅木と第二の幅木との嵌挿部の隙間をなくして美感を保つことができ、しかも開口部やコンセント機能を設けた幅木及び幅木取付構造を提供することにある。
【課題を解決するための手段】
【０００７】
上記課題を解決するために、本願発明の幅木は、床面と壁面とのコーナー部に弾力性を有する釘打ち不要の下段の第一の幅木と該第一の幅木の上縁に連設する第二の幅木を着脱自在に設けたものである。
【０００８】
また、本願発明の幅木取付構造は、床面と壁面とのコーナー部に弾力性を有する釘打ち不要の下段の第一の幅木と該第一の幅木の上縁に連設する第二の幅木を着脱自在に設けた幅木取付構造であって、上段の第二の幅木が柱面に固着された壁下地材に固着されると共に下段の第一の幅木の後面に壁下地材なしの空間部を設けて配線を収容するようにしたものである。
【発明の効果】
【０００９】
本願発明の幅木においては、下段の弾力性を有する釘打ち不要の第一の幅木と床材との間を釘やビス等での固着を不要にして隙間を防ぐことで、ゴミの滞留を少なくするとともに第一の幅木の床面や第一の幅木と第二の幅木との隙間をなくして美感を保つことができるものである。
【００１０】
また、幅木取付構造では、第一、第二の幅木の後面に配線空間を簡単に形成可能とし、しかも壁材料の使用量を少なくすることができるとともに施工が簡便なものである。
【発明を実施するための最良の形態】
【００１１】
図１乃至図５は、本願の請求項１〜５全てに対応した実施形態である幅木及び幅木取付構造を示している。
【００１２】
この一実施形態である幅木Ａは、図１に示す如く、床面１と壁面２とのコーナー部３に弾力性を有する下段の第一の幅木４とこの第一の幅木４の上縁に連設する第二の幅木５を着脱自在に設けたものである。また、図２の幅木Ｂは、釘打ち不要の下段の第一の幅木５に開口部６を形成したものである。図３は、図２の幅木Ｂを間仕切壁１６の下部の両側に配設したもので、釘打ち不要の下段の第一の幅木４、４間の空間部７に吸音材８を充填したものである。
【００１３】
さらに、図４及び図５の幅木Ｃは、上述した第二の幅木本体９の内部に配線１０を設け外部コンセント１１を内挿し、さらに、この外部コンセント１１が第二の幅木本体９に設けられたレール部１２にスライド自在に配設したものである。
【００１４】
以下に、本発明の実施形態の幅木及び幅木取付構造を詳細に説明する。
【００１５】
図１に示したような第一の実施形態である幅木Ａにおいて、下段の第一の幅木４は、ブチル系、ブタジエン系、ウレタン系のゴムや塩化ビニール、ポリプロピレン等の合成樹脂からなる弾力性を有するもので成形されている。この第一の幅木４の形状は、直方体状で下部が室内側にスカート状に突出することにより床面１の上のゴミの滞留を少なくすることができ、床面１との隙間をなくすことによって美感を保つことができるものである。
【００１６】
また、第二の幅木５は、木材、合成樹脂、金属等の材質により矩形状に形成され、この第二の幅木本体９の下縁に溝状の嵌合凹部１３が形成されている。この第二の幅木本体９の下縁に形成された溝状の嵌合凹部１３が、第一の幅木本体１８の上縁の凸部１４が嵌挿することで固着される。このとき、第一の幅木４の表面には、釘やビスが固定されていないものである。そして、第二の幅木本体９は、室内側から壁面２としての合板や化粧仕上げ材の壁材料１５に釘、ビス又は接着剤で固着され、第一の幅木４の上縁の凸部１４は、第二の幅木５の溝状の嵌合凹部１３に嵌合され固着されている。
【００１７】
尚、第一の幅木４と第二の幅木５との嵌合部分は、床面１が経時変化により上下動して凹んだり突出しても第一の幅木４の弾力性により床面１に隙間ができにくくなり、掃除がしやすくなるものである。また第二の幅木５を釘着しているので、目地にも隙間が生じにくくなるもので美麗である。
【００１８】
図２において、第二の実施形態である幅木Ｂは、釘打ち不要の下段の第一の幅木本体１８に複数個のスリット状や円形、多角形状の開口部６を形成して、この開口部６は、部屋間の換気孔や吸音孔としての役割をもつものである。この幅木Ｂの壁面１への取り付けは、壁下地材１７の上に固着された壁面２としての合板や化粧仕上げ材の壁材料１５に釘、ビス又は接着剤で固着されている。
【００１９】
また、図３は、図２に示した幅木Ｂを間仕切壁１６の下部の両側に配設したもので、釘打ち不要の下段の第一の幅木４、４間の空間部７に繊維状のロックウールやガラスウールを充填したり、板状に成形した吸音材料を吸音材８として充填したものである。このとき、吸音材８はワンタッチで挿着するようにすると着脱が簡便である。さらに、この吸音材８の変わりにシックハウス症候群となるホルムアルデヒドを吸着するような吸着剤を充填するようにしても良いものである。
【００２０】
図４及び図５は、さらに、異なる実施形態の幅木Ｃに係わるもので、上述した幅木Ａ、Ｂの第二の幅木本体９の内部に空間を形成し、外部コンセント１１を設け、第一の幅木４の壁面１の材料の下部の空間部７に配線１０が装着され、この配線１０と外部コンセント１１とが連結されるように配線したものである。特に本発明の第三の実施形態では、アルミニウム等の金属製の第二の幅木本体９に設けられたコ字状のレール部１２を壁面１に釘やビスで固着され、このレール部１２に外部コンセント１１を設けたカバー１９を着脱自在に固着したものである。そして、この外部コンセント１１を設けたカバー１９がスライド自在に配設されて外部コンセント１１の位置を可変可能にしたものである。このとき、外部コンセント１１とカバー１９とを各々独立で形成するようにしても良い。
【００２１】
そのために、この幅木Ｃにおいて、外部コンセント１１が簡単に左右に移動可能となり、所望の位置に外部コンセント１１を設置できる。また、このような幅木取付構造では、壁材料１５を壁面１の全面に固定するのではなく、下端に隙間がでるように配設されているので、第一、第二の幅木４、５の後面に配線空間を簡単に形成することができ、しかも壁材料１５の使用量を少なくすることができる。また、第一の幅木４が釘やビスで固着されていないので、第一の幅木４の取付けや取外し施工が簡便である。
【図面の簡単な説明】
【００２２】
【図１】本願発明の第一の実施形態である幅木の取付け状態を示す要部の縦断面図である。
【図２】本願発明の第二の実施形態である幅木の取付け状態を示す要部の縦断面図である。
【図３】本願発明の第二の実施形態である幅木を間仕切り壁に取付けた状態を示す要部の縦断面図である。
【図４】本願発明の第三の実施形態である幅木の取付け状態を示す要部の縦断面図である。
【図５】図４の幅木を前面から見た一部切欠した状態を示す正面図である。
【符号の説明】
【００２３】
Ａ  幅木
Ｂ  幅木
Ｃ  幅木
１  床面
２  壁面
３  コーナー部
４  下段の第一の幅木
５  第二の幅木
６  開口部
７  空間部
８  吸音材
９  第二の幅木本体
１０  配線
１１  外部コンセント
１２  レール部
１３  嵌合部
１４  凸部
１５  壁材料
１６  間仕切壁
１７  壁下地材
１８  第一の幅木本体
１９  カバー
【図１】
2005097937.tif 000003
【図２】
2005097937.tif 000004
【図３】
2005097937.tif 000005
【図４】
2005097937.tif 000006
【図５】
2005097937.tif 000007